(57)【要約】【課題】ＩＣカードの大きさに左右されることなく、ＩＣカードの飛び出しを確実に回避できること、【解決手段】メモリカードＭＣが取り出されるとき、メモリカードＭＣの急峻な飛び出しが、カバー部材１０におけるブレーキ片１０ＢＲと、ベース部材１２におけるブレーキ片１２ＢＲＡおよび１２ＢＲＢと、カード認識／ブレーキ部材３０のブレーキ片部３０ＢＲとにより、抑制されるもの。【選択図】図１０
2008003939.tif 000002
【特許請求の範囲】
【請求項１】
ＩＣカードを着脱可能に収容するカード収容部、および、該ＩＣカードに電気的に接続されるコンタクト端子を有するベース部材と、
前記ベース部材のカード収容部を覆うカバー部材と、
装着された前記ＩＣカードを前記カード収容部から選択的に外部に排出するイジェクト機構と、
前記ベース部材に形成され、前記イジェクト機構により前記ＩＣカードが前記カード収容部から外部に向けて移動されるとき、該ＩＣカードに当接し該ＩＣカードの排出動作を制動させる少なくとも一つの第１の制動片と、
前記カバー部材に形成され、前記イジェクト機構により前記ＩＣカードが前記カード収容部から外部に向けて移動されるとき、該ＩＣカードに当接し該ＩＣカードの排出動作を制動させる第２の制動片と、
前記カード収容部内に配され、該カード収容部における前記ＩＣカードの装着の有無を検出し検出出力を送出するカード認識スイッチ部と、を備え、
前記カード認識スイッチ部を構成する検出部材が、前記イジェクト機構により前記ＩＣカードが前記カード収容部から外部に向けて移動されるとき、前記ベース部材の第１の制動片および前記カバー部材の第２の制動片と協働し、該ＩＣカードに当接し該ＩＣカードの排出動作を制動させる制動部を該カード収容部におけるカードスロット近傍に有することを特徴とするＩＣカード用コネクタ。
【請求項２】
前記検出部材は、前記カード収容部における前記ＩＣカードの装着の有無を検出する検出片を一端に有するとともに、前記ＩＣカードに当接し前記ＩＣカードの排出動作を制動させる制動部を他端に有することを特徴とする請求項１記載のＩＣカード用コネクタ。
【発明の詳細な説明】
【技術分野】
【０００１】
本発明は、ブレーキ片を備えるＩＣカード用コネクタに関する。
【背景技術】
【０００２】
ＩＣカード用コネクタにおいては、そのカード収容部の一部を形成する一方の側壁の内側に沿ってイジェクト機構が備えられている。イジェクト機構は、カード収容部に装着されたＩＣカードの排出を選択的に行なうものとされる。イジェクト機構は、例えば、特許文献１にも示されるように、イジェクト部材と、そのイジェクト部材を選択的に保持または解放する動作を制御するイジェクト部材の動作制御部と、イジェクト部材をＩＣカードの排出方向に付勢するコイルスプリングとを主な要素として含んで構成されている。
【０００３】
斯かる構成において、縦長のＩＣカード自体がコイルスプリングの付勢力に抗してイジェクト部材に対し着脱方向に沿って押圧操作されることによってＩＣカードが、イジェクト部材によりカード収容部内に保持される。一方、その装着されたＩＣカードがさらに同一の方向に押圧操作されるとき、そのイジェクト部材が、コイルスプリングの復元力により、ＩＣカードとともにカード排出方向に移動せしめられることによってＩＣカードをカード収容部から排出するものとされる。
【０００４】
ＩＣカードが上述のイジェクト機構により排出される場合、ＩＣカードの排出速度は、そのコイルスプリングの弾性力（ばね定数）に応じたものとなる。
【０００５】
従って、操作者がＩＣカードを収容部から取り出す場合、操作者がＩＣカードをさらに同一方向に押圧操作した直後、その指をＩＣカードの端部から瞬時に離したとき、ＩＣカードがコイルスプリングの弾性力によりカード収容部から急峻に飛び出す虞がある。
【０００６】
斯かる場合、そのような不所望な飛び出しを回避するために例えば、カード収容部の上部を形成する金属製のカバー部材に一体に形成される弾性変位可能なブレーキ片の先端をＩＣカードの表面に当接させて生じる摩擦力により、飛び出しを回避する方法がとられている。
【０００７】
【特許文献１】特開２００４−３１１４１６号公報
【発明の開示】
【発明が解決しようとする課題】
【０００８】
上述のようなＩＣカードは、近年、入力装置としてのキーボードのキーの大きさ程度まで小型化されたものが開発されている。そのような小型化されたＩＣカードが使用される場合、ＩＣカード用コネクタ全体の大きさも、さらに小型化が要望されるとともに、上述のようなＩＣカードの急峻な飛び出しを回避することも必要とされることとなる。
【０００９】
即ち、上述のように、ＩＣカードの排出速度がコイルスプリングの弾性力（ばね定数）に応じたものとなるＩＣカード用コネクタにおいては、ＩＣカード用コネクタに装着されるＩＣカードの形状の小型化に伴い、そのようなＩＣカード排出時の不所望な飛び出しを回避するために上述のような金属製のブレーキ片を設けるとともに、コイルスプリングのばね定数をより小さくする設計変更が要求されることとなる。
【００１０】
しかしながら、コイルスプリングのばね定数がより小さくなるように設計変更された場合、ＩＣカードの排出不良が発生する虞があるとともに、コイルスプリングの個体間のばらつきを考慮し、コイルスプリングのばね定数を生産上厳密に管理することも容易でない。また、ＩＣカードの形状の小型化に伴い、ＩＣカードの移動距離がより短くなるのでカード収容部の上部を形成する金属製のカバー部材に一体に形成される弾性変位可能なブレーキ片の先端をＩＣカードの表面に当接させて生じる摩擦力（制動力）によるＩＣカードの飛び出しを回避する方法だけでは限界があり、十分にＩＣカードの飛び出しを抑制できない場合がある。
【００１１】
以上の問題点を考慮し、本発明は、ブレーキ片を備えるＩＣカード用コネクタであって、ＩＣカードの大きさに左右されることなく、ＩＣカードの飛び出しを確実に回避できるＩＣカード用コネクタを提供することを目的とする。
【課題を解決するための手段】
【００１２】
上述の目的を達成するために、本発明に係るＩＣカード用コネクタは、ＩＣカードを着脱可能に収容するカード収容部、および、ＩＣカードに電気的に接続されるコンタクト端子を有するベース部材と、ベース部材のカード収容部を覆うカバー部材と、装着されたＩＣカードを前記カード収容部から選択的に外部に排出するイジェクト機構と、ベース部材に形成され、イジェクト機構によりＩＣカードがカード収容部から外部に向けて移動されるとき、ＩＣカードに当接しＩＣカードの排出動作を制動させる少なくとも一つの第１の制動片と、カバー部材に形成され、イジェクト機構によりＩＣカードがカード収容部から外部に向けて移動されるとき、ＩＣカードに当接しＩＣカードの排出動作を制動させる第２の制動片と、カード収容部内に配され、カード収容部におけるＩＣカードの装着の有無を検出し検出出力を送出するカード認識スイッチ部と、を備え、カード認識スイッチ部を構成する検出部材が、イジェクト機構によりＩＣカードがカード収容部から外部に向けて移動されるとき、ベース部材の第１の制動片およびカバー部材の第２の制動片と協働し、ＩＣカードに当接しＩＣカードの排出動作を制動させる制動部をカード収容部におけるカードスロット近傍に有することを特徴とする。
【発明の効果】
【００１３】
以上の説明から明らかなように、本発明に係るＩＣカード用コネクタによれば、カード認識スイッチ部を構成する検出部材が、イジェクト機構によりＩＣカードがカード収容部から外部に向けて移動されるとき、ベース部材の第１の制動片およびカバー部材の第２の制動片と協働し、ＩＣカードに当接しＩＣカードの排出動作を制動させる制動部をカード収容部におけるカードスロット近傍に有するのでＩＣカードの排出速度が減速されることとなり、従って、ＩＣカードの大きさに左右されることなく、ＩＣカードの飛び出しを確実に回避できる。
【発明を実施するための最良の形態】
【００１４】
図２は、本発明に係るＩＣカード用コネクタの一例の外観を示す。
【００１５】
図２に示されるＩＣカード用コネクタは、所定の電子機器、例えば、携帯電話機、ＰＤＡ、カメラ等の内部に配されるものとされる。
【００１６】
図２において、ＩＣカード用コネクタは、例えば、そのカード収容部１４に矢印の示す方向に沿って着脱可能に収容されるＩＣカードとしてのメモリカードＭＣ（図１０参照）、例えば、マイクロＳＤカード（商標）（サンディスク社製）の電極部と所定の電子機器の内部に配される信号入出力用等の基板の接続端子部とを電気的に接続するものとされる。
【００１７】
板状のメモリカードＭＣは、後述されるコンタクト端子の配列に対応して複数のコンタクトパッド群ＣＰが一方の表面部に形成されている。また、その一方の側部には、切欠部が形成されている。
【００１８】
ＩＣカード用コネクタは、収容されるメモリカードＭＣに対する電気的接続を行う複数のコンタクト端子等が配列されるベース部材１２と、ベース部材１２と協働してメモリカードＭＣのカード収容部１４を形成するカバー部材１０とを含んで構成されている。
【００１９】
門形断面形状を有するカバー部材１０は、薄板の金属材料で形成されている。カバー部材１０の一方の側面部には、図２に示されるように、後述するベース部材１２の爪部がそれぞれ、係合される係合孔１０ａ，１０ｂ、および１０ｃがその爪部に対応して形成されている。カバー部材１０の他方の側面部には、後述するベース部材１２の爪部がそれぞれ、係合される係合孔（不図示）が３個、所定の間隔で形成されている。
【００２０】
従って、カバー部材１０は、その各係合孔１０ａ、１０ｂ、および、１０ｃ、または、図示されない他の係合孔と、ベース部材１２の各爪部とがそれぞれ係合されることにより、ベース部材１２に対し固定されることとなる。
【００２１】
また、図２および図３に示されるように、カバー部材１０における両側面部を連結する上面部の左端には、後述するイジェクト機構におけるカムレバーを移動可能に支持する押さえバネ１０Ｅが設けられている。弾性を有する押さえバネ１０Ｅの基端部は、カバー部材１０に一体に形成されている。押さえバネ１０Ｅと上面部の他の部分との間には、隙間１０ｅが形成されている。
【００２２】
カバー部材１０の上面部における押さえバネ１０Ｅに対向する右端には、メモリカードＭＣの排出時の飛び出しを抑制する第１のブレーキ片としてのブレーキ片１０ＢＲが形成されている。ブレーキ片１０ＢＲの基端部は、カバー部材１０に一体に形成されている。ブレーキ片１０ＢＲは、メモリカードＭＣの表面に選択的に摺接する折曲部を弾性変位可能にその先端に有している。
【００２３】
ブレーキ片１０ＢＲは、例えば、カバー部材１０の一部がプレス加工によりその内側に向けて打ち抜かれて形成されている。従って、カバー部材１０におけるブレーキ片１０ＢＲの周囲には、開口１０ｄが形成されている。
【００２４】
また、ブレーキ片１０ＢＲに対して所定距離、後述するカード認識スイッチ側に離隔した位置には、カード認識スイッチの動作の有無を確認するための孔１０ｈａが形成されている。さらに、押さえバネ１０Ｅに対して所定距離、後述するコイルスプリング側に離隔した位置にも孔１０ｈｂが形成されている。
【００２５】
孔１０ｈａとブレーキ片１０ＢＲとの間には、後述するコンタクト端子１６ａｉの配列に対応してスリット１０Ｓｉ（ｉ＝１〜８）が所定の間隔で図３において矢印Ｗの示すカバー部材１０の幅方向に沿って形成されている。
【００２６】
ベース部材１２におけるカード収容部１４は、図２に示されるように、上方、および、下方の一部と、後述するコンタクト端子固定部側とは反対側の端部とが、開口している。従って、上述のカバー部材１０によってベース部材１２が覆われることにより、図４に示されるように、カード収容部１４の一方の端部にメモリカードＭＣが通過するカードスロット１４ＣＳが形成されることとなる。
【００２７】
ベース部材１２は、例えば、成形樹脂材料で一体に成形されている。ベース部材１２は、図５に示されるように、メモリカードＭＣが着脱可能に収容されるカード収容部１４の両側部をそれぞれ形成する側壁１２ＲＷ、１２ＬＷと、コンタクト端子１６ａｉ（ｉ＝１〜８）が配されるコンタクト端子固定壁部１２ＦＷとを含んで構成されている。
【００２８】
側壁１２ＬＷの外面には、爪部１２ａ、１２ｂ、および１２ｃが上述のカバー部材１０の孔１０ａ、１０ｂ、および１０ｃに対応して形成されている。また、側壁１２ＲＷの外面には、複数の爪部（不図示）が上述のカバー部材の孔に対応して形成されている。
【００２９】
ベース部材１２のコンタクト端子固定壁部１２ＦＷには、複数のコンタクト端子１６ａｉが設けられている。例えば、８本のコンタクト端子１６ａｉは、所定の相互間隔で側壁１２ＲＷ，１２ＬＷに対して略平行に配列されている。
【００３０】
コンタクト端子１６ａｉは、弾性を有しメモリカードＭＣのコンタクトパッドに当接し電気的に接続される接点部と、配線基板（不図示）の電極部に半田付け固定され電気的に接続される半田付端子部と、その接点部と半田付端子部とを相互に連結し、ベース部材１２に固定される固定部とを含んで構成されている。薄板金属材料、例えば、バネ用燐青銅で作られるコンタクト端子１６ａｉの固定部は、図示が省略されるが、コンタクト端子固定壁部１２ＦＷに形成される溝に、コンタクト端子固定壁部１２ＦＷに形成される透孔を通じてメモリカードＭＣの挿入方向とは反対方向の側から圧入されることにより、ベース部材１２に固定されている。
【００３１】
側壁１２ＬＷの内側部分には、メモリカードＭＣをカード収容部１４内に保持するとともに、選択的にカード収容部１４からメモリカードＭＣを排出するイジェクト機構２４が設けられている。
【００３２】
イジェクト機構２４は、図５に示されるように、ベース部材１２に対し移動可能に支持されるイジェクト部材２４Ｊと、ベース部材１２の内周部およびイジェクト部材２４Ｊ相互間に介装され、イジェクト部材２４ＪをメモリカードＭＣの排出方向に付勢するコイルスプリング２４Ｓと、メモリカードＭＣの着脱操作に応じてイジェクト部材２４Ｊを選択的にベース部材１２に対し保持または解放する制御を行うイジェクト部材制御部２４Ｃと、を含んで構成されている。
【００３３】
コイルスプリング２４Ｓの一端は、ベース部材１２の内周部に形成される軸部に巻装され、コイルスプリング２４Ｓの他端は、イジェクト部材２４Ｊ内の凹部に連結されている。
【００３４】
イジェクト部材２４Ｊは、例えば、樹脂材料で成形され、図６に示されるように、その底部がベース部材１２に形成される案内孔１２Ｇに移動可能に係合されることにより、メモリカードＭＣの着脱方向に沿って摺動可能にベース部材１２に支持されている。
【００３５】
また、イジェクト部材２４Ｊは、挿入されたメモリカードＭＣの側部の段差部ｍｃｓ（図１０参照）に係合される被係合部としてのカード受け部２４ｒをカード収容部１４側の一端に有している。
【００３６】
イジェクト部材制御部２４Ｃは、イジェクト部材２４Ｊにおけるカバー部材１０の内面に対向して形成された略ハート形状のカム要素（ハートカム）と、ハートカムの周囲に形成された複数の段差部からなるレバー案内溝と、一方の端部が側壁１２ＬＷの孔に連結され、他方の端部がそのレバー案内溝に沿って摺動せしめられる門形状のカムレバー２６と、上述のカバー部材１０の押えバネ１０Ｅ（図３参照）とを含んで構成されている。
【００３７】
押えバネ１０Ｅは、カムレバーの屈曲された先端をレバー案内溝の案内面に対し摺接するように付勢するものとされる。
【００３８】
樹脂で成形されるハートカムは、カムレバー２６の一端部が選択的に係合する略Ｖ字状のカム面を有している。
【００３９】
レバー案内溝は、ハートカムの一方の傍を側壁１２ＬＷに沿って直線的に延在する第１の案内溝と、ハートカムの他方の傍を第１の案内溝の途中から分岐するように側壁１２ＬＷに向って斜めに延びた後、第１の案内溝に対し平行に延びる第２の案内溝と、カム面に対向する第１の案内溝の一端と第２の案内溝の一端との間であってカム面に対向する部分を連結する第３の案内溝とから形成されている。
【００４０】
第３の案内溝における第２の案内溝の一端側の端部と案内溝の一端との境界部分に段差部分が形成されている。
【００４１】
これにより、カムレバーの一端部は、イジェクト部材２４Ｊの動作に追従して第１の案内溝、第３の案内溝、および第２の案内溝を順次、経由して案内されることとなる。
【００４２】
また、側壁１２ＲＷには、メモリカードＭＣがカード収容部１４内に装着されたか否かを検出するカード認識スイッチ部３４が設けられている。
【００４３】
カード認識スイッチ部３４は、図１０に示されるように、図示が省略される配線基板に半田付け固定される固定端子部を有する出力端子３２と、出力端子３２の接点部に選択的に接触しメモリカードＭＣの有無をあらわす検出出力を送出するカード認識／ブレーキ部材３０とを含んで構成されている。
【００４４】
出力端子３２は、上述のコンタクト端子固定壁部１２ＦＷの溝に圧入されることにより固定される固定部と、その固定部の一端に連なる固定端子部と、その固定部の他端に連なる接点部とを有している。
【００４５】
カード認識／ブレーキ部材３０は、図１に拡大されて示されるように、薄板金属材料で作られ、出力端子３２の接点部に選択的に当接する接点部３０ｅを有する可動片部３０ＤＥと、メモリカードＭＣの一方の側面部に摺接する折曲部３０ｂを有するブレーキ片部３０ＢＲと、可動片部３０ＤＥとブレーキ片部３０ＢＲとを連結する固定片部３０Ｆとを含んで構成される。
【００４６】
可動片部３０ＤＥは、図８および図９に示されるように、弾性変位可能な湾曲した接点部３０ｅを一端に有している。また、可動片部３０ＤＥの他端の幅は、接点部３０ｅの幅に比して大に設定されている。可動片部３０ＤＥは、図１０に示されるように、湾曲した接点部３０ｅが出力端子３２の接点部を挟んで側壁部１２ＲＷから離隔した内側の位置となるように配されている。接点部３０ｅの先端は、図１０に二点鎖線で示されるように、メモリカードＭＣの一方の端部で出力端子３２に向けて押圧されることにより、出力端子３２の接点部に当接しオン状態とされ、また、メモリカードＭＣの一方の端部が接点部３０ｅから離隔することにより、その弾性力により復帰し出力端子３２の接点部に対し離隔しオフ状態とされる。
【００４７】
メモリカードＭＣの飛び出しを抑制する第２のブレーキ片としてのブレーキ片部３０ＢＲは、上述のカードスロット１４ＣＳ近傍の位置に配されている。折曲部３０ｂは、可動片部３０ＤＥの接点部３０ｅの最先端の位置よりも側壁１２ＲＷの内面側に近接している。また、側壁１２ＲＷにおける折曲部３０ｂの最先端に対向する部分には、メモリカードＭＣの側面により押圧されるとき、折曲部３０ｂの最先端が待機する凹部が形成されている。
【００４８】
ブレーキ片部３０ＢＲの折曲部３０ｂの幅は、可動片部３０ＤＥの接点部３０ｅの幅に比して大に設定されている。
【００４９】
固定片部３０Ｆは、図９に拡大されて示されるように、側壁１２ＲＷに形成される溝に圧入される爪部３０ｆａと、図示が省略される配線基板に半田付け固定される固定端子部３０ｆｂとを有している。
【００５０】
従って、カード認識／ブレーキ部材３０は、カード認識スイッチ部３４の一部を構成する接点部３０ｅを有する可動片部３０ＤＥと、メモリカードＭＣの飛び出しを抑制するブレーキ片部３０ＢＲとを一体に有するので製造コストおよび組み立て工数の低減が図られる。
【００５１】
また、メモリカードＭＣの飛び出しを抑制するブレーキ片部３０ＢＲは、上述のカードスロット１４ＣＳ近傍の位置に配されているのでＩＣカードの大きさに左右されることなく、ＩＣカードの飛び出しを確実に回避できることとなる。
【００５２】
さらに、第２のブレーキ片として別個のブレーキ部材が設けられる場合、ＩＣカード用コネクタ全体の大きさが大きくなるのでＩＣカード用コネクタの小型化を図るという設計要求を満足できないのに対し、一方、本発明に係るＩＣカード用コネクタの一例に用いられるカード認識／ブレーキ部材３０は、可動片部３０ＤＥと、ブレーキ片部３０ＢＲとを一体に有するのでＩＣカード用コネクタの小型化を図ることができ、その結果、ＩＣカード用コネクタの占有面積を従来のＩＣカード用コネクタの占有面積に比して小とすることができる。
【００５３】
さらにまた、樹脂で成形されたベース部材１２の底部における側壁１２ＲＷ側には、図５および図６に拡大されて示されるように、第３のブレーキ片としての樹脂製のブレーキ片１２ＢＲＡが上述のブレーキ片１０ＢＲの真下の位置に形成されている。ブレーキ片１２ＢＲＡの基端部は、ベース部材１２の底部に一体に形成されている。ブレーキ片１２ＢＲＡの周囲には、開口１２ｄが形成されている。また、弾性変位可能なブレーキ片１２ＢＲＡの先端部は、ベース部材１２の底部の開口１２ｄよりもカード収容部１４の内部の上方に向けて若干飛び出すように形成されている。これにより、メモリカードＭＣがカード収容部１４に挿入されるとき、摺接されるメモリカードＭＣの右側の側端部近傍は、ブレーキ片１２ＢＲＡの先端部と上述のブレーキ片１０ＢＲの先端部とで挟持されることとなる。
【００５４】
また、側壁１２ＬＷ側には、図５および図６に拡大されて示されるように、第４のブレーキ片としての樹脂製のブレーキ片１２ＢＲＢがイジェクト部材２４Ｊ近傍に形成されている。ブレーキ片１２ＢＲＢの基端部は、ベース部材１２の底部に一体に形成されている。ブレーキ片１２ＢＲＢの周囲には、開口１２ｅが形成されている。弾性変位可能なブレーキ片１２ＢＲＢの先端部は、ベース部材１２の底部の開口１２ｅよりもカード収容部１４の内部の上方に向けて若干飛び出すように形成されている。
【００５５】
このような構成において、メモリカードＭＣの装着にあたり、先ず、図１０に示される矢印の示す方向に、メモリカードＭＣの先端部がカードスロット１４ＣＳを通じてカード収容部１４内に挿入されるとき、メモリカードＭＣは、イジェクト部材２４Ｊのカード受け部２４ｒにその一方の側面部が係合されるとともにさらに前進せしめられる。その際、ブレーキ片１２ＢＲＡおよび１２ＢＲＢの先端部は、メモリカードＭＣの一方の表面に摺接状態とされる。また、ブレーキ片１０ＢＲは、メモリカードＭＣの他方の表面に摺接状態とされる。さらに、ブレーキ片部３０ＢＲがメモリカードＭＣの一方の側面部に摺接状態とされる。
【００５６】
続いて、メモリカードＭＣがさらにイジェクト部材２４Ｊとともにコイルスプリング２４Ｓの付勢力に抗して押圧された後、その押圧力が解放されるとき、カムレバー２６の一端部は、第１の案内溝から離脱し第３の案内溝のカム面に係合される。従って、イジェクト部材制御部２４Ｃがイジェクト部材２４Ｊを保持状態とする。
【００５７】
また、メモリカードＭＣは、メモリカードＭＣのコンタクトパッド群ＣＰとコンタクト端子１６ａｉとの接圧により、カード収容部１４内で保持され、かつ、メモリカードＭＣのコンタクトパッド群ＣＰとコンタクト端子１６ａｉとが当接され電気的に接続される。その際、メモリカードＭＣは、ブレーキ片１０ＢＲおよびブレーキ片１２ＢＲＡにより挟持されることとなる。また、カード認識スイッチ部３４におけるカード認識／ブレーキ部材３０の接点部３０ｅがメモリカードＭＣの先端により押圧され、出力端子３２の接点部に当接しオン状態とされる。
【００５８】
一方、メモリカードＭＣがカード収容部１４から取り外される場合、先ず、装填されたメモリカードＭＣが若干さらに押し込まれる。その際、イジェクト部材２４Ｊが前進せしめられることにより、カムレバーの一端部がカム面から解放され、かつ、離脱されて第２の案内溝に移動せしめられるのでイジェクト部材２４Ｊがコイルスプリング２４Ｓの付勢力により後退せしめられる。従って、イジェクト部材制御部２４Ｃがイジェクト部材２４Ｊを解放状態とする。
【００５９】
その際、コイルスプリング２４Ｓの付勢力により移動せしめられるイジェクト部材２４ＪおよびメモリカードＭＣは、ブレーキ片部３０ＢＲの折曲部３０ｂの制動力と、ブレーキ片１０ＢＲおよびブレーキ片１２ＢＲＡによる挟持力に応じた制動力と、ブレーキ片１２ＢＲＢの制動力とを合計した値の制動力により、その排出速度が減速せしめられることとなる。
【００６０】
従って、イジェクト部材２４ＪおよびメモリカードＭＣの排出速度が、減速された状態で、メモリカードＭＣが排出されるので不所望なメモリカードＭＣの急峻な飛び出しが確実に回避されることとなる。
【図面の簡単な説明】
【００６１】
【図１】本発明に係るＩＣカード用コネクタの一例において用いられるカード認識／ブレーキ部材を示す平面図である。
【図２】本発明に係るＩＣカード用コネクタの一例の外観を全体的に示す斜視図である。
【図３】図２に示される例における平面図である。
【図４】図２に示される例における正面図である。
【図５】図２に示される例においてカバー部材を取り外した状態を示す斜視図である。
【図６】図５に示される例における底面図である。
【図７】図２に示される例における側面図である。
【図８】図１に示されるカード認識／ブレーキ部材を示す斜視図である。
【図９】図８に示される例における正面図である。
【図１０】図２に示される例における動作説明に供される平面図である。
【符号の説明】
【００６２】
１０    カバー部材
１０ＢＲ、１２ＢＲＡ，１２ＢＲＢ    ブレーキ片
１２    ベース部材
３０    カード認識／ブレーキ部材
３０ＢＲ    ブレーキ片部
３０ＤＥ    可動片部
ＭＣ    メモリカード
【図１】
2008003939.tif 000003
【図２】
2008003939.tif 000004
【図３】
2008003939.tif 000005
【図４】
2008003939.tif 000006
【図５】
2008003939.tif 000007
【図６】
2008003939.tif 000008
【図７】
2008003939.tif 000009
【図８】
2008003939.tif 000010
【図９】
2008003939.tif 000011
【図１０】
2008003939.tif 000012